(57)【要約】【課題】  シート自身に穴をあけず、書類とシートとの位置がずれることなく、正確に穴あけすること。【解決手段】  折り返した状態のパンチ穴あけ補助具１００の開放側の長辺５を開き、パンチ穴を開けたい書類Ｓを挟み込む。この書類Ｓの長辺Ｓ３を折り返し部１０１の長辺３の内側に押し当て、書類Ｓとパンチ穴あけ補助具１００とを挟んで固定しつつ位置決めし、セットマーク４を書類Ｓの長辺方向の中央位置と同じ位置とする。書類Ｓをパンチ穴あけ補助具１００ごと２穴パンチＰに差し込み、２穴パンチＰのセンターマークＰ１に前記セットマーク４を合わせ、２穴パンチＰのパンチ部が切り欠き部２内に位置した状態で２穴パンチＰを閉じる。これにより、書類Ｓ自身に穴をあけることなく、所定位置に穴Ｓ４が正確に空けられる。【選択図】  図３
2014039965.tif 000002
【特許請求の範囲】
【請求項１】
平面部材が直線状の折り返し部で折り返され且つ当該折り返し部の辺端縁付近にパンチのセンターマークに合わせるためのセットマークが設けられると共に、当該セットマークから前記辺方向の両側又は片側の所定位置に前記辺端縁から形成された切り込み部が設けられていることを特徴とするパンチ穴あけ補助具。
【請求項２】
平面部材からなり、当該平面部材を重ねることでその辺端縁がそれぞれ一致し且つ当該辺端縁付近にパンチのセンターマークに合わせるためのセットマークが設けられると共に、各平面部材の前記セットマークから前記辺方向の両側又は片側の所定位置に前記辺端縁から形成された切り込み部が設けられていることを特徴とするパンチ穴あけ補助具。
【請求項３】
前記切り込み部は、辺方向で少なくとも前記パンチのパンチ部の刃径より大きいことを特徴とする請求項１又は２に記載のパンチ穴あけ補助具。
【請求項４】
前記切り込み部は、奥行き方向で少なくとも前記パンチのパンチ部の刃径より大きいことを特徴とする請求項１〜３のいずれか一つに記載のパンチ穴あけ補助具。
【請求項５】
更に、穴開け対象である書類の辺端縁と一致する辺端縁その他の位置決め部位を備えたことを特徴とする請求項１〜４のいずれか一つに記載のパンチ穴あけ補助具。
【請求項６】
矩形の表面及び裏面とから本体が構成され、当該本体の少なくとも一辺に書類の差込口を有すると共に前記表面又は裏面に開口が形成されていることを特徴とする開口付ホルダー。
【請求項７】
矩形の表面及び裏面とから本体が形成され、当該本体の一辺に取付片が延出形成されると共に、本体の前記一辺と直交する他辺に記載札を差し込む差込口を有し、且つ、前記表面又は裏面に開口が形成されていることを特徴とする開口付インデックス。
【発明の詳細な説明】
【技術分野】
【０００１】
本発明は、書類等に正確にパンチ穴をあける際に用いるパンチ穴あけ補助具、開口付ホルダー及び開口付インデックスに関するものである。
【背景技術】
【０００２】
従来から特許文献１に記載されているようなパンチ穴あけ用シートが知られている。このパンチ穴あけ用シートは、薄い紙製のシートの左側辺の中央部に中央セットマークが表示されている。シートは、日本工業規格のＡ４サイズである。ユーザは、穴あけ対象である書類に当該シートを重ね、２穴パンチのセンターマークを前記中央セットマークに合わせて穴あけを行う。これにより、書類に対して正確に穴あけを行うことができる。
【先行技術文献】
【特許文献】
【０００３】
【特許文献１】特開２００３−２２０５９８
【発明の概要】
【発明が解決しようとする課題】
【０００４】
しかしながら、上記従来のパンチ穴あけ用シートでは、重ねた書類に穴を開けた際にシート自身にも穴を開けてしまい、シートの見栄えが悪くなるという問題点があった。また、穴あけ対象の書類に重ねて使用するため、シートの左側辺と書類の左側辺の位置決めが難しく、２穴パンチに挿入する際、書類とシートとの位置がずれるという問題点があった。この発明は係る問題点を解決するためになされたものである。
【課題を解決するための手段】
【０００５】
この発明に係るパンチ穴あけ補助具は、平面部材が直線状の折り返し部で折り返され且つ当該折り返し部の辺端縁付近にパンチのセンターマークに合わせるためのセットマークが設けられると共に、当該セットマークから前記辺方向の両側又は片側の所定位置に前記辺端縁から形成された切り込み部が設けられていることを特徴とする。
【０００６】
また、この発明に係るパンチ穴あけ補助具は、平面部材からなり、各平面部材を重ねることでその辺端縁がそれぞれ一致し且つ当該辺端縁付近にパンチのセンターマークに合わせるためのセットマークが設けられると共に、各平面部材の前記セットマークから前記辺方向の両側又は片側の所定位置に前記辺端縁から形成された切り込み部が設けられていることを特徴とする。
【０００７】
また、この発明に係るパンチ穴あけ補助具は、上記発明において、切り込み部は、辺方向で少なくとも前記パンチのパンチ部の刃径より大きいことを特徴とする。
【０００８】
また、この発明に係るパンチ穴あけ補助具は、上記発明において、前記切り込み部は、奥行き方向で少なくとも前記パンチのパンチ部の刃径より大きいことを特徴とする。
【０００９】
また、この発明に係るパンチ穴あけ補助具は、上記発明において、更に、穴開け対象である書類の辺端縁と一致する辺端縁その他の位置決め部位を備えたことを特徴とする。
【００１０】
また、この発明に係る開口付ホルダーは、矩形の表面及び裏面とから本体が構成され、当該本体の少なくとも一辺に書類の差込口を有すると共に前記表面又は裏面に開口が形成されていることを特徴とする。
【００１１】
また、この発明に係る開口付インデックスは、矩形の表面及び裏面とから本体が形成され、当該本体の一辺に取付片が延出形成されると共に、本体の前記一辺と直交する他辺に記載札を差し込む差込口を有し、且つ、前記表面又は裏面に開口が形成されていることを特徴とする。
【図面の簡単な説明】
【００１２】
【図１】この発明の実施の形態１に係るパンチ穴あけ補助具を示す平面図である。
【図２】図１に示したパンチ穴あけ補助具の裏面図である。
【図３】パンチ穴あけ補助具を折り目で折り返した状態を示す説明図である。
【図４】このパンチ穴あけ補助具の使用方法を示す説明図である。
【図５】このパンチ穴あけ補助具の使用方法を示す説明図である。
【図６】このパンチ穴あけ補助具の使用方法を示す説明図である。
【図７】図１に示したパンチ穴あけ補助具の変形例を示す説明図である。
【図８】この発明の実施の形態２に係るパンチ穴あけ補助具の使用状態を示す説明図である。
【図９】切り欠き部の形状の変形例を示す説明図である。
【図１０】この発明の実施の形態３に係るパンチ穴あけ補助具を示す説明図である。
【図１１】この発明の実施の形態４に係るパンチ穴あけ補助具を示す説明図である。
【図１２】この発明の実施の形態５に係るパンチ穴あけ補助具を示す平面図である。
【図１３】図１２に示したパンチ穴あけ補助具の変形例を示す平面図である。
【図１４】この発明の実施の形態６に係る開口付ホルダーを示す展開図である。
【図１５】開口付ホルダーの短辺下側のみを接続した例を示す説明図である。
【図１６】開口付ホルダーの短辺上下側を接続した例を示す説明図である。
【図１７】開口付ホルダーの変形例を示す説明図である。
【図１８】この発明の実施の形態７に係る開口付インデックスを示す斜視図である。
【図１９】図１８の開口付インデックスの使用状態を示す説明図である。
【発明を実施するための形態】
【００１３】
（実施の形態１）
図１は、この発明の実施の形態１に係るパンチ穴あけ補助具を示す平面図である。図２は、図１に示したパンチ穴あけ補助具の裏面図である。図３は、パンチ穴あけ補助具を折り目で折り返した状態を示す説明図である。このパンチ穴あけ補助具１００は、長方形の平面部材１１０からなり、その大きさは例えば日本工業規格のＡ３サイズである。このパンチ穴あけ補助具１００は、開いた場合の長辺方向の中央位置から短辺方向に折り目１０１を有する。この折り返し部１０１を中心に折り返すと、当該短辺が長辺の日本工業規格のＡ４サイズとなる。パンチ穴あけ補助具１００を構成する素材は、紙、プラスチック、シリコン等である。また、素材は、透明または半透明とするのが好ましい。プラスチックの場合、前記折り返し部１０１は、２枚の平面部材１１０をその一辺で圧着した構造としても良い。
【００１４】
このパンチ穴あけ補助具１００は、折り返し部１０１の線上であって中央位置１０２から図中上下方向に等距離に２つの開口１を備えている。この開口１は矩形であるが、これに限定されるものではない。図３に示すように、パンチ穴あけ補助具１００を折り返すと、開口１がその仮想中央線１０３で半分になり、折り返し部１０１の長辺３の端縁から凹状の切り欠き部２として現れる。切り欠き部２は、長辺３の中央位置１０２の両側であって当該中央位置１０２から等距離に位置することになる。切り欠き部２のサイズは、２穴パンチの円筒形パンチ部の刃径の１．５倍以上とするのが好ましい。刃径の数倍とするのは、ユーザが２穴パンチに当該パンチ穴あけ補助具１００をセットする際に生じ得る位置決め誤差を吸収するためである。
【００１５】
パンチ穴あけ補助具１００の裏面の折り返し部１０１の中央位置１０２には、当該中央位置１０２を示すセットマーク４が設けられている。即ち、中央位置１０２とセットマーク４とは同じ位置となる。このセットマーク４は、三角形や矢印形等、所望のデザインのものを採用できる。パンチ穴あけ補助具１００を図３のように折り返すことで、折り返し部１０１側の長辺３の中央位置１０２に当該セットマーク４が現れる。そして、セットマーク４の長辺方向両側の等距離にそれぞれ切り欠き部２が位置することになる。切り欠き部２以外の当該長辺３は、平面部材１１０が折り返された状態にある。一方、折り返し部１０１側と反対の長辺５及び上下の短辺６は、開放された状態である。
【００１６】
また、切り欠き部２の長辺方向の寸法は、２穴パンチのパンチ部の刃径の１．５倍以上とするのが好ましい。これは、２穴パンチに書類と共に当該パンチ穴あけ補助具１００をラフにセットした場合に生じる誤差分を吸収するためであり、一般的に目測でセットマークと２穴パンチのセンターマークを合わせた場合に、ズレの許容量として１．５倍以上の余裕を持たせれば、誤って切り欠き部２にパンチ穴をあけずに済む。
【００１７】
短辺方向では、当該切り欠き部２は、パンチ穴あけ補助具１００の長辺３の端縁から所定の奥行きを有している。これは、一般的な２穴パンチの差し込み量は機種によって様々であり誤差が大きい。また、２穴パンチによっては差し込み量を調整できるものもある。このため、切り欠き部２の奥行きは、端縁から円筒形状のパンチ部の直径以上で且つ５ｃｍ以下とするのが好ましい。
【００１８】
図４乃至図６は、このパンチ穴あけ補助具の使用方法を示す説明図である。図４に示すように、折り返した状態のパンチ穴あけ補助具１００の開放側の長辺５を開き、パンチ穴を開けたい書類Ｓ（Ａ４サイズ）を挟み込む。この書類Ｓの長辺Ｓ３を折り返し部１０１の長辺３の内側に押し当て、パンチ穴あけ補助具１００の折り返し部１０１の長辺３を位置決め部位として書類Ｓの長辺Ｓ３を位置決めする。そして、上下方向にも注意を払い、上下の短辺６から書類Ｓがはみ出さないように調整する。即ち、Ａ４サイズのパンチ穴あけ補助具１００の短辺５を位置決め部位としてＡ４サイズの書類の短辺を位置合わせする。これにより、Ａ４サイズのパンチ穴あけ補助具１００にＡ４サイズの書類を挟み込んで位置決めされる。
【００１９】
この状態で前記セットマーク４は、書類Ｓの長辺方向の中央位置と同じ位置となる。通常の２穴パンチＰには、中央位置を示すセンターマークＰ１が設けられている。ユーザは、図５に示すように、書類Ｓをパンチ穴あけ補助具１００ごと２穴パンチＰに差し込み、２穴パンチＰのセンターマークＰ１に、前記セットマーク４を合わせる。この状態で、２穴パンチＰのパンチ部が切り欠き部２内に位置する。そして、このまま２穴パンチＰを閉じると、図６に示すように、書類Ｓの所定位置に穴Ｓ４が空けられる。更に、折り返し部１０１の長辺３周辺により挟まれつつ書類Ｓが前記２穴パンチＰの刃と土台との間に差し込まれるので、複数の書類Ｓに穴を開ける際に一番上の書類Ｓがめくれたりしない。また、多くの書類Ｓに穴を開ける場合でも、当該書類Ｓが厚くなって書類Ｓが２穴パンチＰの刃と土台との間に引っ掛かり、差し入れ難くなるのを防止できる。また、切り欠き部２の長辺方向幅を、前記２穴パンチＰの刃と土台との隙間の幅より大きくすることでより使いやすくできる。
【００２０】
以上、この発明のパンチ穴あけ補助具１００によれば、書類Ｓに中央位置を示す印が設けられていなくても、２穴パンチＰにより書類Ｓの中央位置から所定位置にパンチ穴Ｓ４を正確にあけることができる。また、２穴パンチＰに書類Ｓの位置決めをするガイド等が装備されていなくても、既に所有している２穴パンチＰを使って書類Ｓの所定位置にパンチ穴Ｓ４を正確にあけることができる。更に、パンチ穴あけ補助具１００が平面的であるため収納及び携帯し易い。
【００２１】
また、図示しないが、折り返し部１０１で折り返した状態でパンチ穴あけ補助具１００のサイズがＡ４サイズより大きくなるようにしても良い（図示省略）。具体的には、短辺６を長くしてＡ４サイズの書類Ｓを上に載せて長辺５で書類Ｓと位置合わせしたとき、切り欠き部２側が書類Ｓからはみ出すようにする。これにより、書類Ｓの下は面一となるので、パンチ穴あけ補助具１００を下敷きとして用いることができるようになる。
【００２２】
また、図７に示すように、上記Ａ４サイズの長辺３の中央位置で短辺方向に平行に半分に切断した構造にしても良い。このパンチ穴あけ補助具１５０においても、当該パンチ穴あけ補助具１５０の開放側を開き、パンチ穴Ｓ４を開けたい書類Ｓを挟み込む。そして、書類Ｓの長辺を折り返し部１０１の内側辺に押し当て、パンチ穴あけ補助具１５０の折り返し部１０１の長辺３と書類Ｓの長辺とが同じ位置になるようにする。そして、書類Ｓの下側の短辺をパンチ穴あけ補助具１００の短辺６と揃え、はみ出さないように調整する。
【００２３】
この状態で前記セットマーク４は、書類Ｓの長辺方向の中央位置と同じ位置となる。通常の２穴パンチＰには、中央位置を示すセンターマークＰ１が設けられているので、ユーザは、書類Ｓをパンチ穴あけ補助具１５０ごと２穴パンチＰに差し込み、２穴パンチＰのセンターマークＰ１に、前記セットマーク４を合わせる。この状態で、２穴パンチＰの片側一方のパンチ部が切り欠き部２内に位置することになる。他方のパンチ部は、パンチ穴あけ補助具１５０がない状態の書類Ｓの所定位置に位置することになる。そして、このまま２穴パンチＰを閉じると、書類Ｓの所定位置にパンチ穴Ｓ４が空けられる。図７に係る構成によれば、パンチ穴あけ補助具１５０がコンパクトになるので持ち運びや収納に便利である。
【００２４】
（実施の形態２）
図８は、この発明の実施の形態２に係るパンチ穴あけ補助具の使用状態を示す説明図である。このパンチ穴あけ補助具２００は、上記実施の形態１に示したパンチ穴あけ補助具１００の折り返し部１０１を切断して表裏を別体にした構成である。その他は、上記実施の形態１と同様であり、同一構成要素には同一の符号を付する。このパンチ穴あけ補助具２００では、Ａ４サイズの書類Ｓの上下にパンチ穴あけ補助具２００を重ねる。この状態で前記セットマーク４は、書類Ｓの長辺方向の中央位置と同じ位置となる。ユーザは、書類Ｓをパンチ穴あけ補助具２００ごと２穴パンチＰに差し込み、２穴パンチＰのセンターマークＰ１に、パンチ穴あけ補助具２００の切り欠き部２の間に設けた前記セットマーク４を合わせる。この状態で、２穴パンチＰのパンチ部が切り欠き部２内に位置することになる。そして、このまま２穴パンチＰを閉じると、書類Ｓの所定位置にパンチ穴Ｓ４があけられる。
【００２５】
この表裏を別体にすることで、書類Ｓの厚みが大きい場合でも、折り返し部１０１が不自然に変形して書類Ｓの端縁を揃え難くなるのを防止できる。また、書類Ｓを下敷きとして使いやすくなる。更に、図７に示したように、半分形状としても良い。更に、平面部材１１０は１枚のみを書類Ｓに重ねて使用しても良い。
【００２６】
図９に切り欠き部の形状の変形例を示す。実施の形態１及び２において、切り欠き部２の大きさは、少なくとも２穴パンチのパンチ部の刃径より大きければ足りるので、その形状は自由にデザインできる。図９に示すように、ハート形状にしても良いし、図示しないがダイヤ形状や蝶形状等にしても良い。また、切り欠き部２以外の部分にデザイン性を有する穴を設けるようにしても良い。
【００２７】
上記実施の形態１及び２では、パンチ穴あけ補助具１００，２００を開いた際にＡ３サイズ、折り返し部で閉じた状態でＡ４サイズとしたが、パンチ穴あけ補助具１００，２００を開いた際にＢ３サイズ、折り返し部で閉じた状態でＢ４サイズとしても良いし、それ以外のサイズとしても良い。
【００２８】
（実施の形態３）
図１０は、この発明の実施の形態３に係るパンチ穴あけ補助具を示す説明図である。このパンチ穴あけ補助具３００は、実施の形態１と略同じ構成であるが、図１０（ａ）に示すように、Ａ４サイズに折り返した際の下側の平面部材１１０の上部にクリップ３０１を設けた点が異なる。上側の平面部材１１０の上部には、図１０（ｂ）に示すように、折り返し部１０１で平面部材１１０を折り返した際に当該クリップ３０１を逃がす凹部３０２が設けられている。このようにすれば、書類をクリップ３０１に挟んで位置を固定した状態で平面部材１１０により挟むことができるので、穴開けを正確に行える。また、そのままバインダー付きのフォルダとしても使用できる。なお、クリップ３０１の形状等は、図示したものに限定されない。また、クリップ３０１の位置は、折り返し部以外の辺に設けることもできる（図示省略）。その他の構成は実施の形態１に示したパンチ穴あけ補助具１００と同じであるから同一構成要素には同一符合を付する。
【００２９】
（実施の形態４）
図１１は、この発明の実施の形態４に係るパンチ穴あけ補助具を示す説明図である。このパンチ穴あけ補助具４００は、実施の形態１と略同じ構成であるが、Ａ４サイズに折り返した際の下側の平面部材１１０の上面にライン４０１を設けた点が異なる。このライン４０１は、平面部材１１０がＡ４サイズである場合、それより小さい例えばＢ５サイズの書類Ｓの縁を位置合わせをするライン４０１である（図中では、Ｂ４サイズのライン４０１を例示する）。ユーザは、Ａ４サイズでない書類Ｓ、例えばＢ４サイズの書類Ｓに穴開けする場合、平面部材１１０の下側の表面に設けたライン４０１にＢ４サイズの書類Ｓの縁を位置合わせし、そのまま平面部材１１０の上側を閉じ、書類Ｓを挟む。これにより、Ｂ４サイズの書類Ｓの中央が、セットマーク４に位置決めされる。
【００３０】
この状態で２穴パンチＰのセンターマークＰ１に前記セットマーク４を合わせ、２穴パンチＰを押し込むと、Ｂ４サイズの書類Ｓの所定位置に正確に穴Ｓ４が開けられる。また、別のサイズの書類Ｓについても、同様に当該書類Ｓのサイズに応じたラインに合わせ、穴Ｓ４を開けるようにする。その他の構成は実施の形態１に示したパンチ穴あけ補助具１００と同じであるから同一構成要素には同一符合を付する。このように、ライン４０１を設けることで、様々なサイズの書類Ｓに対して穴Ｓ４を開けることができるようになる。
【００３１】
（実施の形態５）
図１２は、この発明の実施の形態５に係るパンチ穴あけ補助具を示す平面図である。このパンチ穴あけ補助具５００は、実施の形態１に係るパンチ穴あけ補助具１００の切り欠き部２が、平面部材１１０を折り返した状態のＡ４サイズの長辺３に２箇所設けた点に特徴がある。その他の構成は実施の形態１と同じであるからその説明を省略する。このパンチ穴あけ補助具５００では、前記長辺３の辺方向に２箇所の切り欠き部２（合計４つ）を設けている。上から２つの切り欠き部２ａ，２ｂの間には、セットマーク４ａが設けられている。下から２つの切り欠き部２ｃ，２ｄの間にもセットマーク４ｂが設けられている。また、書類Ｓの端部を合わせるための基準としては、上記実施の形態４に示したようなライン４０１や、平面部材１１０の短辺自体を用いる。例えば、Ａ６サイズの書類等、比較的小さいサイズの書類の穴開けに適している。
【００３２】
また、セットマーク４ｃは、図１３に示すように、上から２番目の切り欠き部２ｂと３番目の切り欠き部２ｃとの間に設けても良い。このようにすれば、実施の形態１のパンチ穴あけ補助具１００と同様に当該セットマーク４を用いてＡ４サイズ等の大きな書類Ｓの穴開けにも用いることができる。
【００３３】
（実施の形態６）
図１４は、この発明の実施の形態６に係る開口付ホルダーを示す展開図である。図１５は、開口付ホルダーの短辺下側のみを接続した例を示す説明図である。この開口付ホルダー６００は、図１４に示すような本体６０２を展開した状態で、中央の折り返し部６１０を中心とした片側面の任意の場所に開口６０１が設けられている。同図の例において、当該開口６０１は、矩形であり片側面の上下方向の２箇所に設けられている。なお、当該開口６０１の形状は、同図に示す例に限定されない。
【００３４】
展開状態の本体６０２は、Ａ３サイズより若干大きい寸法であり、折り返し部６１０で折り返した状態でＡ４サイズより若干大きな寸法となる。折り返した状態で、折り返し部６１０の長辺６１１ａは、図１５に示すように、本体６０２の表面６０２ａ及び裏面６０２ｂとで連結される。また、下側の短辺６１２ｂが表面６０２ａと裏面６０２ｂとで連結し、短辺６１２の上側及び長辺のうち前記折り返し部６１０と反対側の長辺６１１ｂが書類Ｓの差込口６１３となる。この開口付ホルダー６００に書類Ｓを挟むことで、開口６０１から書類Ｓが露出するので、ユーザは、この開口６０１から書類Ｓに所望の内容を記載できる。また、開口６０１から書類Ｓの内容を確認できる。開口付ホルダー６００の素材には、プラスチック又は紙を用いる。プラスチックを用いる場合、透明なものでも半透明なものでも良い。更に、色彩を施した不透明なものでも良い。なお、開口付ホルダー６００の上部には、壁等のフックに引っ掛けるための穴６１４を設けても良い。
【００３５】
図１６は、開口付ホルダーの短辺上下側を接続した例を示す説明図である。このように、開口付ホルダー６００の書類Ｓの差込口６１３を一方の長辺６１１ｂのみとしても良い。なお、図示しないが、前記開口６０１は、１つでも良いし複数設けても良い。更に、開口６０１の形状は矩形に限定されず、ハート形状等のデザイン性のあるものとしても良い。
【００３６】
また、図１７（ａ）に示すように、本体６０１を展開した状態で内側面にコの字形状のポケット６５０を設けても良いし、図１７（ｂ）に示すように、Ｌ字形状のポケット６５１を設けても良い。この場合、本体６０２の長辺６１１及び短辺６１２において表面６０２ａ及び裏面６０２ｂを連結しなくても良い（折り返し部６１０のみで表面６０２ａ及び裏面６０２ｂが連結することになる）。
【００３７】
（実施の形態７）
図１８は、この発明の実施の形態７に係る開口付インデックスを示す斜視図である。図１９は、図１８の開口付インデックスの使用状態を示す説明図である。この開口付インデックス７００は、縦長の長方形の表面７０２ａと裏面７０２ｂとを重ねて袋状に形成された本体７０２と、本体７０２の長辺７１１側から表裏２枚延出した長方形の取付片７０３とからなる。本体７０２の上側の短辺７１２ａには、札の差込口７１３が設けられている。また本体７０２の表面７０２ａには開口７０１が設けられている。本体７０２及び取付片７０３は、紙製でもプラスチック製でも良い。
【００３８】
本体７０２には、所定寸法の記載札７５０を挿入する。この記載札７５０は、本体７０２と相似形で多少小さい寸法である。図１９に示すように、開口付インデックス７００の差込口７１３から記載札７５０を挿入する。記載札７５０は、本体７０２の開口７０１から外部に露出する。この状態で記載札７５０に所望の内容をペン等で描くことができる。また、記載札７５０を挿入する前に当該記載札７５０に文字等を描いておいても良い。
【００３９】
そして、本体７０２に挿入している記載札７５０を差込口７１３から取出して、別の記載札７５０を挿入し、所望の内容を描くことができる。更に、取付片７０３のフォルダＦに対する接着は、強固なものにしても良いし、貼り付け及び引き剥がしが可能にしても良い。貼り付け及び引き剥がしが可能であっても、取付片７０３が表裏２枚でフォルダＦを挟むようになるので、外れることがない。
【００４０】
なお、開口７０１の形状は矩形に限定されない。また、取付片７０３の形状も矩形に限定されない。更に、取付片７０３及び本体７０２は、透明、半透明、不透明のいずれでも良い。取付片７０３は、フォルダＦに対して簡単に剥がれない程度に接着できれば、表裏の一方のみでも良い。また、当該開口付インデックス７００は、書類に対して直接取り付けることもできる。
【符号の説明】
【００４１】
１００  パンチ穴あけ補助具
１０１  折り目
１０２  中央位置
２  切り欠き部
３  長辺
４  セットマーク
５  長辺
６  短辺
Ｐ  ２穴パンチ
Ｐ１  センターマーク
Ｓ  書類
Ｓ４  パンチ穴
【図１】
2014039965.tif 000003
【図２】
2014039965.tif 000004
【図３】
2014039965.tif 000005
【図４】
2014039965.tif 000006
【図５】
2014039965.tif 000007
【図６】
2014039965.tif 000008
【図７】
2014039965.tif 000009
【図８】
2014039965.tif 000010
【図９】
2014039965.tif 000011
【図１０】
2014039965.tif 000012
【図１１】
2014039965.tif 000013
【図１２】
2014039965.tif 000014
【図１３】
2014039965.tif 000015
【図１４】
2014039965.tif 000016
【図１５】
2014039965.tif 000017
【図１６】
2014039965.tif 000018
【図１７】
2014039965.tif 000019
【図１８】
2014039965.tif 000020
【図１９】
2014039965.tif 000021